(57)【特許請求の範囲】
【請求項１】
先端側に吸引口を形成した筒体と、
この筒体内面に密着して往復動し、筒体内空気が排出される第１通気路を形成したピストン体と、
このピストン体と上記筒体との間に配置され、往動した該ピストン体を元の位置へ復動させる第１付勢部材と、
上記ピストン体に対し往復動するように連結され、該ピストン体の押部となる押体を有し、この押体の往動時に開状態、復動時に閉状態となり、この開状態のとき、上記第１通気路からの筒体内空気が外部へ排出される第２通気路を形成した押操作部と、
この押操作部の押体と上記ピストン体との間に配置され、押し操作で往動させた該押体を元の位置へ復動させる第２付勢部材と、を含んでなり、
上記押操作部の押体が押されたとき、開状態となった第２通気路と第１通気路を介して上記筒体内空気を外部へ排気しながら上記ピストン体を往動させ、上記押体の押し操作が解除されたとき、上記第２通気路を閉状態とし、上記第１付勢部材によってピストン体を元の位置へ復動させながら吸引口から流体を吸引する吸引シリンジ。
【請求項２】
請求項１記載の吸引シリンジを内視鏡装置の吸引機器として用い、内視鏡の吸引ポートに管接続された流体貯留タンクに、上記筒体の吸引口を管接続する吸引シリンジを用いた内視鏡装置。
【請求項３】
請求項１記載の吸引シリンジを、吸引管開閉機構を持つ吸引操作部により吸引管が開閉制御される内視鏡装置の吸引機器として用い、
上記吸引操作部に連結される吸引ポートに流体貯留タンクを管接続すると共に、この流体貯留タンクに上記筒体の吸引口を管接続し、上記ピストン体の復動時に上記吸引操作部の操作で吸引を実行する吸引シリンジを用いた内視鏡装置。
【発明の詳細な説明】
【技術分野】
【０００１】
本発明は、流体を吸引することができる吸引シリンジ、及び内視鏡内の吸引管に接続して被観察体内の流体を吸引することができ、かつ携帯できる内視鏡装置の吸引シリンジの構成に関する。
【背景技術】
【０００２】
図８には、従来の内視鏡装置の構成が示されており、内視鏡（スコープ）は、例えば対物光学系や固体撮像素子等を備えた先端部１Ａ、湾曲部を介して設けられた操作部１Ｂ等を有する。この操作部１Ｂには、鉗子栓を有する鉗子口（処置具挿通チャンネル導入口）３が設けられ、この鉗子口３から先端部１Ａの先端面まで、処置具挿通チャンネル４が配設される。この処置具挿通チャンネル４には、被観察体内の流体（内容物）等を吸引するための吸引管５が接続されており、上記処置具挿通チャンネル４は吸引管としても機能するようになっている。
【０００３】
また、上記操作部１Ｂには、吸引ボタン（機械式又は電気式）７ａ、送気送水ボタン７ｂ、カメラシャッタボタン７ｃ等が配置されている。上記吸引管５は、例えば機械式の場合は、上記吸引ボタン７ａが配置される管接続部を介して液体貯留タンク８に接続されており、この貯留タンク８に、吸引用のポンプ９が接続される。
【０００４】
このような内視鏡装置によれば、上記吸引ボタン７ａを操作すると、吸引用ポンプ９の吸引動作によって処置具挿通チャンネル４と吸引管５を介して被観察体の液体（内容物）等を吸引し、この液体等を貯留タンク８へ排出することができる。なお、鉗子口３から処置具を先端部１Ａまで導き、被観察体内の各種の処置を行うこともできる。
【特許文献１】特開２００６−２８０５３７号公報
【発明の開示】
【発明が解決しようとする課題】
【０００５】
しかしながら、従来の内視鏡装置において吸引を行う場合は、上述のように吸引用ポンプ９が必要となり、この吸引用ポンプ９を配置した施設以外の場所では、内視鏡を使用することが困難であるという問題があった。このような問題を解決し、携帯性に優れた内視鏡を得るために、従来では、上記特許文献１に示されるように、気体圧縮ボンベとノズルユニットを用い、気体の噴出しによって吸引力を発生させるようにすることも提案されている。しかし、この場合でも、気体圧縮ボンベやノズルユニットを用いることから、装置が大きくなるし、構造も複雑になっている。
【０００６】
内視鏡装置の携帯化は、設備の整った施設以外の各種場所での使用、ベッドサイドでの使用、緊急時の使用等を可能にし、また構成の簡易化は、コストの低減に繋がり、吸引に関する機器の携帯化、簡易化ができれば、利便性の高い内視鏡装置を提供できることになる。
【０００７】
また、一般に用いられるシリンジでは、手動でピストンを引っ張り操作することで吸引が行われているが、シリンジ筒内の容量の一回限りの吸引しかできず、量の制限のない連続した吸引を容易に行うことはできなかった。
【０００８】
本発明は上記問題点に鑑みてなされたものであり、その目的は、吸引量に制限のない連続した吸引を容易に行うことができる吸引シリンジ及び内視鏡装置の携帯化、簡易化に繋がる吸引に関する機器の携帯化、簡易化を図ることができる吸引シリンジを用いた内視鏡装置を提供することにある。
【課題を解決するための手段】
【０００９】
上記目的を達成するために、請求項１の発明に係る吸引シリンジは、先端側に吸引口を形成した筒体と、この筒体内面に密着して往復動し、筒体内空気が排出される第１通気路を形成したピストン体と、このピストン体と上記筒体との間に配置され、往動した該ピストン体を元の位置へ復動させる第１付勢部材と、上記ピストン体に対し往復動するように連結され、該ピストン体の押部となる押体を有し、この押体の往動時に開状態、復動時に閉状態となり、この開状態のとき、上記第１通気路からの筒体内空気が外部へ排出される第２通気路を形成した押操作部と、この押操作部の押体と上記ピストン体との間に配置され、押し操作で往動させた該押体を元の位置へ復動させる第２付勢部材と、を含んでなり、上記押操作部の押体が押されたとき、開状態となった第２通気路と第１通気路を介して上記筒体内空気を外部へ排気しながら上記ピストン体を往動させ、上記押体の押し操作が解除されたとき、上記第２通気路を閉状態とし、上記第１付勢部材によってピストン体を元の位置へ復動させながら吸引口から流体を吸引することを特徴とする。
【００１０】
請求項２の発明に係る吸引シリンジを用いた内視鏡装置は、請求項１記載の吸引シリンジを内視鏡装置の吸引機器として用い、内視鏡の吸引ポートに管接続された流体貯留タンクに、上記筒体の吸引口を管接続することを特徴とする。
請求項３の発明に係る吸引シリンジを用いた内視鏡装置は、請求項１記載の吸引シリンジを、吸引管開閉機構を持つ吸引操作部により吸引管が開閉制御される内視鏡装置の吸引機器として用い、上記吸引操作部に連結される吸引ポートに流体貯留タンクを管接続すると共に、この流体貯留タンクに上記筒体の吸引口を管接続し、上記ピストン体の復動時に上記吸引操作部の操作で吸引を実行することを特徴とする。
【００１１】
本発明の構成によれば、第２付勢部材に抗して押操作部の押体を親指等で押し、該押体を往動させると（第１段押し操作）、押操作部内の第２通気路が開状態となり、次いで第１付勢部材に抗して押体でピストン体を押すと（第２段押し操作）、第１通気路と第２通気路を介して筒体内空気が外部まで排気されながら、ピストン体が往動し先端側へ移動する。その後、押し操作を解除すると、第２付勢部材により押体が復動し、押操作部内の第２通気路が閉状態となって第１通気路と第２通気路からの排気が停止するが、同時に、第１付勢部材によってピストン体が復動することになり、この結果、吸引口から外側空気が吸引される。即ち、吸引口が配置された部分の流体を吸引することができる。
【００１２】
また、上記押し操作時には、筒体内の空気が外側へ自動的に排気されるので、押操作部の繰返しの操作によって、筒体内の容量に関係なく、連続して吸引を実行することが可能となる。
【００１３】
更に、請求項２又は３に係る内視鏡装置の場合は、上記吸引口に貯留タンクが連結管で接続され、貯留タンク内が減圧状態となるので、被観察体内の液体等が内視鏡内の処置具挿通チャンネル、吸引管、吸引ポートを介して吸引され、この流体等は貯留タンクへ収納される。
また、請求項３の構成では、吸引口を吸引ポートに接続した後、ピストン体を押した状態にしておけば、吸引ボタンの操作で必要に応じた量の吸引が適宜かつ容易に行えることになる。
【発明の効果】
【００１４】
本発明の吸引シリンジによれば、押体による２段階の押し操作を繰り返すことで、吸引量に制限のない連続した吸引を容易に行うことができるという効果がある。
また、吸引シリンジを用いた内視鏡装置によれば、吸引に関する機器の携帯化、簡易化、ひいては内視鏡装置の携帯化、簡易化が可能となり、設備の整った施設以外の各種場所、ベッドサイド、緊急時等における内視鏡の使用が容易となり、利便性の高い内視鏡装置が得られるという効果がある。
【発明を実施するための最良の形態】
【００１５】
図１乃至図３には、実施例に係る吸引シリンジが示され、図４乃至図７には、図１乃至図３の吸引シリンジを内視鏡装置に適用した場合の構成が示されており、図１において、吸引シリンジは、円筒状の筒体１１、ピストン体（スライダー）１２、第１バネ１３及び押操作部１４を有してなる。上記筒体１１には、その先端部に吸引口（孔）１５が設けられる。一方、ピストン体１２は、上記筒体１１の内面に密着しながら摺動（往復動）する所定厚さの円板状のピストン部（摺動部）１２ａ、このピストン部１２ａを支持する円柱棒状の軸部１２ｂを備え、この軸部１２ｂの径方向中心部に、軸部１２ｂの先端口１６Ｆから後端口１６Ｒまでの第１通気路（管路）１６が形成される。
【００１６】
また、この軸部１２ｂの後端部に、上記押操作部１４が一体的に設けられており、この押操作部１４は、図３にも示されるように、ピストン体１２側の支持円板部１２ｃ、第２通気路１８を形成するための小円板部１２ｄ、Ｏリング１９、円形冠状の押体２０、第２バネ（スプリング）２１を有してなる。即ち、上記小円板部１２ｄには、その下側（先端側）に形成された段差部に、Ｏリング１９が取り付けられ、また図２（Ａ），（Ｂ）に示されるように、第２通気路１８の一部を構成するための通気溝Ｅ１が小円板部１２ｄの外周の複数箇所（例えば４箇所）に切込み形成される。
【００１７】
上記冠状押体２０には、その下側（先端側）の中心部に上記小円板部１２ｄの半径よりも少し小さな半径の円形空洞を形成する円形皿状体で、その中心位置に円形開口２２ａを開けた囲い体２２が設けられ、この囲い体２２内に上記小円板部１２ｄが配置される。また、この囲い体２２には、図２（Ｃ），（Ｄ）に示されるように、その底面部（先端側）の円周方向の複数箇所（例えば４箇所）に、円形開口２２ａから外周側へ向けて形成された通気溝Ｅ２が設けられる。そして、この押体２０を後端方向へ付勢するように、冠状押体２０と上記支持円板部１２ｃとの間に第２バネ２１が配置される。
【００１８】
このような押操作部１４の構成によれば、図３（Ａ）に示されるように、押体２０の操作解除時では、第２バネ２１の付勢によって押体２０が後端側へ移動し、その囲い体２２の内面（皿形底面部の内面）が小円板部１２ｄ下側のＯリング１９に密着するので、第２通気路１８が閉状態となる。一方、図３（Ｂ）に示されるように、押体２０の押し操作時では、押体２０が先端側のピストン体側へ移動し、囲い体２２の内面がＯリング１９から離れるので、第１通気路１６から連通する第２通気路１８が開状態となる。即ち、第２通気路１８は、第１通気路１６に連通する囲い体２２内の空間、通気溝Ｅ１、円形開口２２ａ、通気溝Ｅ２からなり、この通気溝Ｅ２から外部へ空気が排気される。
【００１９】
更に、上記第１バネ（スプリング）１３は、上記筒体１１の後側のフランジ部１１ａと押操作部１４の支持円板部１２ｃとの間に（それぞれに係合する状態で）配置され、押されたピストン体１２を元の位置へ復帰（復動）させることができる。
【００２０】
このような吸引シリンジによれば、図１（Ａ）の基本（不操作）状態から、押体２０（押操作部１４）を親指等で第２バネ２１の付勢力に抗して押すと（第１段目押し）、図３（Ｂ）にも示されるように、押体２０がピストン体側へ移動することで、囲い体２２の内面がＯリング１９から離れ、囲い体２２内空間、通気溝Ｅ１、円形開口２２ａ、通気溝Ｅ２からなる第２通気路１８が開状態となる。次いで、押体２０を第１バネ１３の付勢力に抗して押すと（第２段目押し）、筒体１１内の空気が第１通気路１６（先端口１６Ｆ、後端口１６Ｒ）を通り、第２通気路１８を介して外部へ排出されることで、吸引口１５から排気することなく、ピストン体１２を先端側位置まで往動させることができ、図１（Ｂ）の状態となる。
【００２１】
この図１（Ｂ）の状態で、押体２０の操作を解除すると、図３（Ａ）にも示されるように、囲い体２２内面がＯリング１９に密着し、第２通気路１８が閉状態となって、筒体１１内の空気が第１通気路１６を介して外部へ排出されなくなり、吸引口１５から外側空気が筒体１１内部へ吸引される。従って、この吸引口１５又はこれに接続したチューブの先端口を目的の流体中に配置すれば、その流体を吸引することができる。
【００２２】
上記押体２０による２段階の押し操作は、吸引後に繰り返して行うことができ、連続した複数回の操作で、量に制限のない流体吸引を行うことができる。
【００２３】
図４及び図５は、上記の吸引シリンジを内視鏡装置に適用したときの構成であり、図４及び図５に示されるように、内視鏡操作部２６には、例えば吸引ポート（吸引管接続口）２７を備えた吸引操作部２８が設けられ、この吸引操作部２８の吸引ポート２７に、連結チューブ３０ａを介して吸引物を貯留するタンク３１（一方の接続口）が接続配置される。また、このタンク３１（他方の接続口）に、上記吸引シリンジの吸引口１５が連結チューブ３０ｂを介して接続される。
【００２４】
図６及び図７には、上記内視鏡操作部２６に設けられた吸引操作部２８の内部構成が示されている。この吸引操作部２８は、上記吸引ポート２７の管路に連結されかつ内視鏡内の吸引管３３に連結された中心通路３４、この中心通路３４内を上下動するように配置されたピストン部材３５、このピストン部材３５の上部において、該ピストン部材３５を上側に付勢する弾性体（ゴム部材）を配置して構成された吸引ボタン３６を備え、上記ピストン部材３５に、上側開口３５ａ、内部通路３５ｂ、下側開口３５ｃを形成しており、これらにより吸引管開閉機構が構成される。
【００２５】
上記の吸引操作部２８によれば、図６に示されるように、ピストン部材３５の下側開口３５ｃを中心通路３４で塞ぎ、かつピストン部材３５の最下部（外周）が中心通路３３の下部（内面)に密着することで、吸引管３３が閉じられ、図７に示されるように、吸引ボタン３６を押してピストン部材３５が下側へ移動したとき、ピストン部材３５の下側開口３５ｃと最下部が中心通路３４から離れることで、吸引管３３が開けられる。
【００２６】
このような内視鏡装置によれば、吸引シリンジにおいて、図４の基本状態から親指等で押体２０の第１段目の押し操作をすると、図３（Ｂ）で説明したように、押体２０がピストン体側へ移動して囲い体２２の内面がＯリング１９から離れ、囲い体２２内空間、通気溝Ｅ１、円形開口２２ａ、通気溝Ｅ２からなる第２通気路１８が開状態となる。次いで、押体２０の第２段目の押し操作をすると、筒体１１内の空気が第１通気路１６、第２通気路１８を介して外部へ排出されることで、図５のようにピストン体１２が先端側位置まで移動し、吸引が可能な状態となる。即ち、吸引シリンジの吸引力によって、タンク３１内が減圧状態となる。
【００２７】
そして、内視鏡操作部２６において、図６の状態から吸引操作部２８の吸引ボタン３６を押すと、図７のように、ピストン部材３５が下側へ移動して吸引管３３が開状態となるので、上記吸引シリンジによる吸引力が働き、タンク３１内が減圧されることで、被観察体内の流体（内容物等）が、内視鏡先端部の処置具挿通チャンネルを介して、吸引管３３、中心通路３４、下側開口３５ｃ、内部通路３５ｂ、上側開口３５ａを通り、更に吸引ポート２７、連結チューブ３０ａを介して吸引され、タンク３１内へ収納される。
【００２８】
このような吸引操作部２８の操作によれば、必要な少量の吸引を適宜かつ容易に行うことができるという利点がある。また、吸引シリンジのピストン体１２が完全に元の位置へ復帰したときには、押操作部１４によるピストン体１２の押し操作を繰り返すことで、量の制限のない吸引が可能となる。
【００２９】
上記実施例において、ピストン体１２は第１バネ１３の長さに相応した図１（Ａ）又は図４で示した基本位置で停止するが、この停止動作を確実とし、安定して行われるようにするためのストッパ機構を、筒体１１と軸部１２ｂとの間等に設けることもできる。
【図面の簡単な説明】
【００３０】
【図１】本発明の実施例に係る吸引シリンジの構成を示し、図（Ａ）は不操作時の断面図、図（Ｂ）は押し操作時の断面図である。
【図２】実施例の吸引シリンジの押操作部の構成を示し、図（Ａ）は小円板部を後端側から見た図、図（Ｂ）は小円板部の断面図、図（Ｃ）は囲い体の断面図、図（Ｄ）は囲い体を先端側から見た図である。
【図３】実施例の吸引シリンジの押操作部を拡大したもので、図（Ａ）は不操作時の断面図、図（Ｂ）は押操作時の断面図である。
【図４】実施例に係る吸引シリンジを用いた内視鏡装置の構成で不操作時の状態を示す斜視（一部断面）図である。
【図５】実施例に係る吸引シリンジを用いた内視鏡装置の構成で押し操作時の状態を示す斜視（一部断面）図である。
【図６】実施例に係る内視鏡装置の吸引操作部の構成で不操作時の状態を示す断面図である。
【図７】実施例に係る内視鏡装置の吸引操作部の構成で押し操作時の状態を示す断面図である。
【図８】従来の内視鏡装置の構成を示す図である。
【符号の説明】
【００３１】
５，３３…吸引管、        １１…筒体、
１２…ピストン体、        １２ａ…ピストン部（摺動部）、
１２ｂ…軸部、            １２ｃ…支持円板部、
１２ｄ…小円板部、        １３…第１バネ、
１４…押操作部、          １５…吸引口、
１６…第１通気路、        １８…第２通気路、
１９…Ｏリング、          ２０…押体、
２１…第２バネ、          ２２…囲い体、
２７…吸引ポート、        ２８…吸引操作部、
３１…貯留タンク、        ３４…中心通路、
３５…ピストン部材、      ３６…吸引ボタン、
Ｅ１，Ｅ２…通気溝。
【図１】
0005051585.tif 000002
【図２】
0005051585.tif 000003
【図３】
0005051585.tif 000004
【図４】
0005051585.tif 000005
【図５】
0005051585.tif 000006
【図６】
0005051585.tif 000007
【図７】
0005051585.tif 000008
【図８】
0005051585.tif 000009